(57)【要約】【課題】遊技機に当該遊技機固有の正規の制御基板が内蔵されているかどうかの検査を容易にしかも高いセキュリティを保ちつつ行う。【解決手段】スロットマシンは主制御基板を収容した基板ケースが封印シールによって封印されている。主制御基板には当該主制御基板固有の基板ＩＤコードを記憶した第１の無線通信装置７０が、封印シールには基板ＩＤコードに関連付けられた管理ＩＤコードを記憶した第２の無線通信装置９０が設けられる。検査装置１１０は第１，第２の無線通信装置との間で無線データ通信を行い、第１の無線通信装置７０に記憶されている基板ＩＤコード及び第２の無線通信装置９０に記憶された管理ＩＤコードを受信し、受信した基板ＩＤコードと管理ＩＤコードとを照合することよってスロットマシンに内蔵された主制御基板がそのスロットマシンに固有の正規の主制御基板であるか否かを判別する。【選択図】図８
2008259750.tif 000002
【特許請求の範囲】
【請求項１】
遊技の進行に関わる制御プログラムを記憶し前記制御プログラムに基づいて遊技機の動作を制御する制御装置が実装された制御基板を内蔵するとともに、前記制御基板を収容した基板ケースが封印シールによって封印されて成る遊技機において、
前記制御基板または制御装置に設けられ当該制御基板または制御装置に固有の識別情報を記憶した第１の記憶手段と、前記封印シールに設けられ前記識別情報に関連付けられた管理識別情報を記憶した第２の記憶手段とを備え、
第１，第２の各記憶手段は、外部の所定の検査装置において前記識別情報および管理識別情報を取得することが可能なように前記検査装置によって外部よりアクセス可能に構成されて成る遊技機。
【請求項２】
前記の第１，第２の各記憶手段は、ＩＣタグである請求項１に記載された遊技機。
【請求項３】
遊技の進行に関わる制御プログラムを記憶し前記制御プログラムに基づいて遊技機の動作を制御する制御装置が実装された制御基板を内蔵するとともに、前記制御基板を収容した基板ケースが封印シールによって封印されて成る遊技機を検査するための遊技機検査システムであって、
前記制御基板または制御装置に設けられ当該制御基板または制御装置に固有の識別情報を記憶した第１の記憶手段と、前記封印シールに設けられ前記識別情報に関連付けられた管理識別情報を記憶した第２の記憶手段と、前記第１，第２の各記憶手段に対して外部よりアクセスするための検査装置とを含み、
前記検査装置は、第１の記憶手段に記憶されている識別情報および第２の記憶手段に記憶されている管理識別情報を遊技機より取得する取得手段と、前記取得手段で取得された識別情報と管理識別情報とを照合し予め定められた関係にあるか否かによって遊技機が内蔵する制御基板または制御装置がその遊技機に固有の正規のものであるか否かを判定する判定手段と、前記判定手段の判定結果を出力する出力手段とを備えて成る遊技機検査システム。
【発明の詳細な説明】
【技術分野】
【０００１】
この発明は、遊技の進行に関わる制御プログラムを記憶し前記制御プログラムに基づいて遊技機の動作を制御する制御装置が実装された制御基板を内蔵するとともに、前記制御基板を収容した基板ケースが封印シールによって封印されて成る遊技機と、その遊技機を検査するための遊技機検査システムとに関する。
【背景技術】
【０００２】
パチンコ機やスロットマシンなどの遊技機には、ＣＰＵやＲＯＭを実装した制御基板が内蔵されており、遊技機における遊技動作の内容は、ＣＰＵがＲＯＭに記憶されている制御プログラムに基づいて決定する。このように、制御プログラムは遊技機の動作を決定づける中枢であるため、遊技客や遊技場の店員が正規な制御プログラムが記憶された制御基板を多量のメダルや遊技球を獲得できるような不正な制御プログラムが記憶された偽造制御基板に差し替えたり、正規な制御プログラムが記憶されているＲＯＭを上記したような不正な制御プログラムが記憶されているＲＯＭに置き換えたりすることにより、不当な利益を得ようとする不正行為が行われている。
【０００３】
上記したような不正行為に対しては、従来から、前記ＲＯＭが実装された制御基板を透明な樹脂製の基板ケースに収容し、基板ケースを開放したときにその痕跡を残すことが可能な封印シールを基板ケースに貼り付けることによって基板ケースが不正に開放されるのを防止・発見するようにしている。しかしながら、剥離痕跡を残すことのないように封印シールが剥がされたり、目視では識別できないくらいに封印シールが巧妙に切断されたりすると、不正行為を発見することが困難であった。
【０００４】
そこで、秘密管理された遊技機固有の識別情報を記憶した無線通信装置を遊技機の制御基板などに取り付け、その識別情報を検査装置により読み取って、読み取られた識別情報が正規の識別情報と一致するか否かを判別することにより制御基板を取り換えるなどの不正行為が行われたかどうかを検査する検査システムが提案されている（例えば、特許文献１参照）。
【０００５】
特許文献１に記載された遊技機検査システムは、制御基板に実装された制御装置に前記識別情報を記憶した無線通信装置を設け、この識別情報を検査装置で読み出す構成のものであり、検査装置が無線通信装置に対して所定の電磁波を送信することにより、この電磁波を受けた無線通信装置は検査装置に識別情報を返信する。検査装置は識別情報を受信すると、予め検査装置に記憶されている遊技機の機種ごとの識別情報と照合し、識別情報が一致しない場合、もしくは所定時間内に識別情報が返信されない場合には、制御基板または制御装置を取り換えるなどの不正行為が行われたと判別する。
【０００６】
また、前記封印シールに無線通信装置を内蔵させることにより、制御基板を取り換えるなどの不正行為が行われたかどうかを検査する検査システムも提案されている（例えば、特許文献２参照）。特許文献２に記載された遊技機検査システムは、封印シールのシールフィルムの一方の面に、検査装置との間でデータ通信可能なＩＣチップ部およびアンテナから成る無線通信装置を接着層を介して設けておき、封印シールが基板ケースから無理に剥がされて基板ケースが開放されたとき、前記アンテナが切断されて検査装置との間でデータ通信ができなくなるように構成されたものである。この遊技機検査システムでは、検査装置から封印シールに対して所定の電磁波を送信することにより、封印シールから所定のデータが返信されると、基板ケースは開放されていないと判別し、一方、検査装置から封印シールに対して所定の電磁波を送信しても、封印シールから所定のデータが返信されない場合は、アンテナが切断されているため、封印シールが剥がされ基板ケースが不正に開放されたと判別する。これにより、基板ケースから一旦剥がされた封印シールが再び巧妙に貼り直されたとしても不正行為を容易に発見できる。
【０００７】
【特許文献１】特開平１１−１３７８２２号公報
【特許文献２】特開平１０−２２５５６５号公報
【発明の開示】
【発明が解決しようとする課題】
【０００８】
しかしながら、特許文献１に記載の遊技機検査システムでは、前記識別情報の正当性をチェックするためには、検査装置に遊技機の機種ごとの識別情報を予め記憶させておく必要があるので、万一、検査装置を紛失したり盗まれたりすると、識別情報が知れわたるおそれがある。識別情報が知れわたると、正規の制御装置に設けられた無線通信装置と同一の識別情報を保持する無線通信装置を容易に偽造することが可能となり、その偽造された無線通信装置が不正な制御装置に設けられると、特許文献１に記載の遊技機検査システムでは不正行為を発見できないという問題がある。
【０００９】
また、特許文献２に記載の遊技機検査システムでは、基板ケースが不正に開放されたかどうかについては容易に判別することが可能であるが、遊技機に内蔵されている制御基板が当該遊技機固有の正規のものであるかどうかについては判別できない。例えば、基板ケースが開放されることなく制御基板が不正なものに取り換えられたり、ある遊技機に内蔵されるはずの制御基板が他の違う遊技機に予め内蔵されていたりしても、特許文献２に記載の遊技機検査システムでは発見できないという問題がある。
【００１０】
この発明は、上記問題に着目してなされたもので、制御装置が実装された制御基板を内蔵するとともに、前記制御基板を収容した基板ケースが封印シールによって封印されて成る遊技機について、当該遊技機固有の正規の制御基板または制御装置が内蔵されているかどうかの検査を容易に、しかも高いセキュリティを保ちつつ行うことができる遊技機と、その遊技機を検査するための遊技機検査システムとを提供することを目的とする。
【課題を解決するための手段】
【００１１】
この発明による遊技機は、遊技の進行に関わる制御プログラムを記憶し前記制御プログラムに基づいて遊技機の動作を制御する制御装置が実装された制御基板を内蔵するとともに、前記制御基板を収容した基板ケースが封印シールによって封印されて成るものであり、前記制御基板または制御装置に設けられ当該制御基板または制御装置に固有の識別情報を記憶した第１の記憶手段と、前記封印シールに設けられ前記識別情報に関連付けられた管理識別情報を記憶した第２の記憶手段とを備えている。第１，第２の各記憶手段は、外部の所定の検査装置において前記識別情報および管理識別情報を取得することが可能なように前記検査装置によって外部よりアクセス可能に構成されている。
【００１２】
また、この発明による遊技機検査システムは、前記制御基板または制御装置に設けられ当該制御基板または制御装置に固有の識別情報を記憶した第１の記憶手段と、前記封印シールに設けられ前記識別情報に関連付けられた管理識別情報を記憶した第２の記憶手段と、前記第１，第２の各記憶手段に対して外部よりアクセスするための検査装置とを含んでいる。前記検査装置は、第１の記憶手段に記憶されている識別情報および第２の記憶手段に記憶されている管理識別情報を遊技機より取得する取得手段と、前記取得手段で取得された識別情報と管理識別情報とを照合し予め定められた関係にあるか否かによって遊技機が内蔵する制御基板または制御装置がその遊技機に固有の正規のものであるか否かを判定する判定手段と、前記判定手段の判定結果を出力する出力手段とを備えている。
【００１３】
上記した構成の遊技機では、所定の検査装置によって外部からアクセスすることができる第１の記憶手段が制御基板または制御装置（以下、「制御基板等」という。）に、第２の記憶手段が封印シールに、それぞれ設けられており、第１の記憶手段には、当該遊技機に内蔵される制御基板等に固有の識別情報が記憶され、一方、第２の記憶手段には、当該遊技機に内蔵される制御基板等に固有の識別情報に関連付けられた管理識別情報が記憶される。
検査装置の取得手段は、前記第１の記憶手段に記憶されている制御基板等に固有の識別情報と第２の記憶手段に記憶されている管理識別情報とをそれぞれ取得し、検査装置の判定手段が前記取得手段で取得した識別情報と管理識別情報とが予め定められた関係にあるか否かを判定する。前記判定手段の判定結果は出力手段により出力される。
【００１４】
この遊技機検査システムによれば、前記制御基板等に固有の識別情報と管理識別情報との照合の結果、前記識別情報と管理識別情報とが予め定められた関係にある場合には、この遊技機には当該遊技機固有の正規な制御基板等が内蔵されていると容易に判別することができる。一方、識別情報と管理識別情報とが予め定められた関係にない場合には、この遊技機には当該遊技機固有の正規な制御基板等が内蔵されていない、すなわち、不正な制御基板等と故意に取り換えられている、あるいは、正規な制御基板等であるが他種の制御基板等が間違って内蔵されていると容易に判別することができる。
また、遊技機の検査を行うために、必ずしも検査装置に予め遊技機毎の識別情報を記憶させておく必要はないので、万一、検査装置を紛失したり盗まれたりしても識別情報が知れわたるおそれがなく、高いセキュリティを保ちつつ遊技機の検査を行うことができる。
【００１５】
この発明の上記した構成において、「遊技機」は、スロットマシンやパチンコ機など、複数の種類の遊技機を想定することができる。
第１の記憶手段に記憶される「制御基板または制御装置に固有の識別情報」には、当該遊技機に内蔵されるべき制御基板を特定する基板の識別情報や制御基板に実装される制御装置を特定する識別情報、あるいは、制御装置を構成する記憶装置（ＲＯＭ）を特定する識別情報などが含まれる。
【００１６】
また、第１の記憶手段は制御基板または制御装置のどちらに設けてもよく、制御装置に設けると、制御プログラムを記憶した制御装置のみを取り外して不正な制御プログラムを記憶した制御装置と取り換えるなどの不正行為に対してもその検査が可能になる。
さらに、第２の記憶手段に記憶される「管理識別情報」は、第１の記憶手段に記憶される「識別情報」と同一のものであるのが望ましい。これによると、検査装置での識別情報と管理識別情報との照合を簡単に行うことができる。
【００１７】
封印シールとしては基板ケースから剥離困難なものを用いるか、封印シールを基板ケースから無理に剥がした場合には、封印シールに設けられている第２の記憶手段が破壊され、検査装置によってアクセスできなくなってしまうように構成するのが望ましい。これによると、第２の記憶手段に対して検査装置よりアクセスできない場合には、封印シールが基板ケースから剥がされて基板ケースが不正に開放されている可能性があると判別できる。
【００１８】
なお、前記の第１，第２の各記憶手段は、前記検査装置において識別情報および管理識別情報を取得可能なように前記検査装置との間で無線データ通信が可能なＩＣタグであるのが好ましいが、これに限られるものではない。例えば、第１，第２の各記憶手段として、前記識別情報および管理識別情報を、１次元または２次元のバーコードように所定の画像パターンに変換したものを用い、検査装置により前記画像パターンを読み取ることで識別情報および管理識別情報を取得するようにしてもよい。
【発明の効果】
【００１９】
この発明によると、所定の検査装置によって外部よりアクセスすることができる第１の記憶手段を遊技機の制御基板または制御装置に、第２の記憶手段を封印シールに、それぞれ設けるとともに、第１の記憶手段に当該遊技機に内蔵される制御基板または制御装置に固有の識別情報が、第２の記憶手段に管理識別情報が、それぞれ記憶されているので、検査装置で前記識別情報と管理識別情報とを照合することにより、遊技機に当該遊技機固有の正規の制御基板や制御装置が内蔵されているかどうかの検査を容易に行うことができる。
しかも、遊技機の検査を行うにあたって、検査装置に予め遊技機毎の制御基板や制御装置の識別情報を記憶させておく必要はないので、高いセキュリティを保ちつつ検査を行うことができる。
【発明を実施するための最良の形態】
【００２０】
図１および図２は、この発明にかかる遊技機検査システムが適用されたスロットマシン１の構成を示す。このスロットマシン１の機体は、前面開口の筐体２に前面扉３を開閉可能に取り付けて構成されるもので、図１には正面から見た前面扉３の構成が、図２には前面扉３を除いた筐体２の内部構造が、それぞれ示されている。
【００２１】
前記前面扉３は、上部パネル４、正面パネル５、および下部パネル６を用いて構成されている。上部パネル４の中央には液晶表示器７が設けられ、その両側に効果音出力用のスピーカー８，９が配置されている。また、上面パネル４の裏側には、入賞などを発光明示する演出用のランプ２１が内蔵されている。
【００２２】
液晶表示器７は、ゲームの進行状態に応じて各種の演出画像（動画像や静止画像）を表示するためのもので、ゲーム結果に関わる抽選処理の結果など、ゲーム内容に関わる情報を液晶表示器７による演出表示と前記スピーカー８，９より発せられる効果音とによって遊技者へ報知する。
【００２３】
正面パネル５は、透明な合成樹脂板または強化ガラスの表面にシルクスクリーン印刷を施して形成されている。正面パネル５の板面中央には、印刷領域によって囲まれた無着色で透明の矩形状の図柄表示窓１０が形成されている。図柄表示窓１０内には、３個のリール１１ａ，１１ｂ，１１ｃが、この図柄表示窓１０に対向する位置に配備されている。各リール１１ａ，１１ｂ，１１ｃの外周面には、ボーナスや小役などの賞を成立させる図柄、はずれの図柄など、複数個の図柄が表されており、各リール１１ａ，１１ｂ，１１ｃの停止時には、それぞれ図柄表示窓１０内に３個の図柄が停止表示される。
【００２４】
正面パネル５の表面には、図柄表示窓１０より見える各リール１１ａ，１１ｂ，１１ｃの３駒分の図柄を横方向に結ぶ３本の水平な入賞ラインＬ１〜Ｌ３と、右下がりおよび左下がりの各斜め方向に結ぶ２本の斜めの入賞ラインＬ４，Ｌ５とが表されている。リール停止時、これら５本の入賞ラインＬ１〜Ｌ５上に各リール１１ａ，１１ｂ，１１ｃの図柄が整列して位置する。
【００２５】
正面パネル５の図柄表示窓１０の下方位置には、貯留枚数表示器１２や払出枚数表示器１３などが設けられている。貯留枚数表示器１２には機械に貯留（クレジット）された貯留メダルの枚数が、払出枚数表示器１３には役の成立により配当として払い出されるメダルの枚数が、それぞれデジタル表示される。なお、「貯留メダル」とは、ゲームの実行に先立ち、メダル投入口１４より投入して機械に貯留された（電気的に記憶された）メダルのことであり、この貯留メダルを使ってゲームが実行されるようになっている。また、ゲームの結果、役が成立すると、役に応じた枚数のメダルが付与され、そのメダルは、前記クレジットの上限値（例えば５０枚）以下であれば、メダル受け皿２０に放出されずにメダルの貯留数に加算される。
【００２６】
正面パネル５の下方には、ゲームのためのメダルを受け付けるメダル投入口１４、各リール１１ａ，１１ｂ，１１ｃを一斉に回転させるための始動レバー１５、各リール１１ａ，１１ｂ，１１ｃを個別に停止させるための停止スイッチ１６ａ，１６ｂ，１６ｃ、ベットスイッチ１７、および精算スイッチ１８が設けられている。また、下部パネル６の下方には、メダル払出口１９やメダル受け皿２０が設けられている。
【００２７】
前記ベットスイッチ１７は、１回のゲームに対して３枚の貯留メダルを消費することを遊技者が機械へ指示するためのものである。このベットスイッチ１７が押されると、貯留メダルが３枚引き落とされるが、貯留メダルの残り枚数が２枚しかなければ２枚の貯留メダルが、１枚しかなければ１枚の貯留メダルが、それぞれ引き落とされる。
３枚の貯留メダルが使用されることに対して５本全ての入賞ラインＬ１〜Ｌ５が有効化される。１枚の貯留メダルの使用に対しては中央の水平な入賞ラインＬ１のみが、２枚の貯留メダルの使用に対しては３本の水平な入賞ラインＬ１〜Ｌ３のみが、それぞれ有効化される。
【００２８】
ベットスイッチ１７の押操作で入賞ラインを有効化させた後、始動レバー１５を操作すると、機械内部で賞に関わる抽選処理が実行される。この抽選処理の結果、ビッグボーナスやレギュラーボーナスなどのボーナスや小役に当選すると、後述する主制御装置３１内で該当するフラグが設定され、停止スイッチ１６ａ，１６ｂ，１６ｃが押操作されたとき、該当する図柄を有効化された入賞ライン上に引き込んでリールを停止させる制御（引込み制御）が実行される。その結果、有効化された入賞ライン上に、抽選に当たった図柄が３個並んだパターンが出現し易くなる。
【００２９】
前記精算スイッチ１８は貯留メダルの精算を指示するのに遊技者によって操作される。精算スイッチ１８が操作されると、前記貯留枚数表示器１２に表示された枚数の貯留メダルがメダル払出口１９からメダル受け皿２０に払い出される。
【００３０】
筐体２の内部には、３個のリール１１ａ，１１ｂ，１１ｃが組み付けられたリールユニット２２、低音出力用のスピーカー２５、電源ユニット２６の他、ホッパー２７を備えたメダル放出機２８が組み込まれている。筐体２の後板には、スロットマシン１全体の動作を集中管理する主制御装置３１が搭載された主制御基板３０を収容した基板ケース５０が取り付けられている。また、図示していないが、液晶表示器７の表示、各種スピーカー８，９，２５からの音声および演出ランプ２１の点灯などの制御を行う副制御装置４０が搭載された副制御基板も取り付けられている。
【００３１】
前記リールユニット２２は、３個のリール１１ａ，１１ｂ，１１ｃと各リール駆動用のステッピングモータ２３ａ，２３ｂ，２３ｃとがフレーム２４に一体に組み付けられたものである。
【００３２】
前記ホッパー２７は、機内に投入されたメダルを貯留するためのものであり、メダル投入口１４から投入されたメダルは、前面扉３の内側に設けられたメダル通路（図示せず。）を通ってホッパー２７内に取り込まれる。
前記メダル放出機２８は、ホッパー２７内に貯留されたメダルをメダル払出口１９に放出するためのものであり、メダル放出機２８から放出されたメダルは、図示しないメダル払出通路を介してメダル払出口１９まで運ばれ、メダル受け皿２０へ払い出される。
【００３３】
前記基板ケース５０は、リールユニット２２の上方に取り付けられている。図３は、基板ケース５０の断面を部分的に示す模式図である。基板ケース５０は、主制御基板３０が収容されるケース本体５１と、ケース本体５１に主制御基板３０を収容した状態でその上部から蓋をするためのカバー部５４とから構成されている。ケース本体５１およびカバー部５４は透明の合成樹脂材からなる。ケース本体５１は、平板矩形状の底部５２の周縁に４面の側壁部５３が一体に設けられた箱形の容器であり、その上面は開口し、側壁部５３で囲まれた空間が基板収容空間となっている。カバー部５４は、ケース本体５１の底部５２とほぼ同じ大きさを有する矩形状の平板であり、ケース本体５１の上面の開口部を閉塞するようにケース本体５１に固定される。また、基板ケース５０には、ケース本体５１とカバー部５４とに跨って封印シール６０が貼り付けられており、これにより、主制御基板３０は外部からの接触が不可能となっている。なお、カバー部５４の周縁部５４ａは、カバー部５４の上面と側面とが滑らかに連続するように曲面になっている。
【００３４】
この実施例のスロットマシン１では、前記主制御基板３０に後述する検査装置１１０との間で無線データ通信を行うことが可能な第１の無線通信装置７０が設けられている。第１の無線通信装置７０は、例えば、適所にアンテナ７２を含むＩＣチップ７１で構成されており、内蔵されているＲＯＭ７８（図９に示す。）には、このスロットマシン１に内蔵されるべき主制御基板３０を特定する固有の基板ＩＤコード（基板の識別情報）が記憶されている。この基板ＩＤコードは秘密管理されており、検査装置１１０からの送信要求に応じて第１の無線通信装置７０から読み出すことが可能になっている。検査装置１１０では、詳細は後述するが、この第１の無線通信装置７０から送信される基板ＩＤコードを用いてスロットマシン１に内蔵されている主制御基板３０が当該スロットマシン１に固有の正規の主制御基板であるか否かを検査する。
【００３５】
図４は、第１の無線通信装置７０を主制御基板３０に取り付けた状態を説明する図である。主制御基板３０は、基板下層部３０ｂと、基板下層部３０ｂ上に積層される電源プリント層３０ｃと、電源プリント層３０ｃ上に積層される基板上層部３０ａとから成る多層構造になっている。基板上層部３０ａの下面には、ＩＣチップ格納部３０ｄが形成されている。第１の無線通信装置７０は電源プリント層３０ｃ上に載置され、さらにその上部から基板上層部３０ａが積層されることにより、主制御基板３０の内部に埋め込まれる。各層間は所定の接着剤で接着されている。
【００３６】
上記した実施例では、第１の無線通信装置７０を主制御基板３０の内部に埋め込ませているが、主制御基板３０の表面（基板上層部３０ａの表面）に貼着してもよい。
また、主制御基板３０に搭載された主制御装置３１を構成する遊技制御用のマイクロコンピューターに前記基板ＩＤコードを記憶したＩＣチップ部を設けることにより、第１の無線通信装置７０として機能するＩＣチップ部と遊技制御用の主制御装置３１とを一体不可分に構成してもよい。これにより、正規の制御プログラムを記憶した主制御装置３１のみを取り外して不正な制御プログラムを記憶した主制御装置と取り換えるなどの不正行為に対してもその検査が可能になる。
【００３７】
前記封印シール６０は、図５および図６に示すように、合成樹脂からなる薄いシールフィルム６１に、検査装置１１０との間で無線データ通信を行うことが可能な第２の無線通信装置９０が設けられた構成のものである。前記シールフィルム６１は平面形状が長方形状に形成され、シールフィルム６１の一方の面に、接着剤を塗布することにより第１粘着層６２が形成されている。この第１粘着層６２上に第２の無線通信装置９０を構成するＩＣチップ９１および送受信アンテナ９２が配備されている。
【００３８】
ＩＣチップ９１は、検査装置１１０との間におけるデータ通信を制御するためのものであり、内蔵されたＲＯＭ９８（図９に示す。）には前記基板ＩＤコードに関連付けられた管理ＩＤコード（管理識別情報）が記憶されている。この管理ＩＤコードは、検査装置１１０からの送信要求に応じて第２の無線通信装置９０から読み出すことが可能になっている。なお、この実施例では、第２の無線通信装置９０のＲＯＭ９８に記憶される管理ＩＤコードは、第１の無線通信装置７０のＲＯＭ７８に記憶されている基板ＩＤコードと同一のＩＤコードが使用される。
送受信アンテナ９２は、例えば、銅からなる金属膜をコイル状に形成したループアンテナであり、そのループ外に両端が引き出されてＩＣチップ９１に接続されている。
【００３９】
ＩＣチップ９１と第１粘着層６２との間には、合成樹脂からなるシート片６４が介装されている。一方、送受信アンテナ９２は、第１粘着層６２の表面に直接に貼着されている。ＩＣチップ９１および送受信アンテナ９２の表面には、第１粘着層６２を構成する接着剤よりも粘着力の小さい接着剤を塗布することにより第２粘着層６３が形成されており、封印シール６０は、この第２粘着層６３および第２粘着層６３から露出している第１粘着層６２の粘着力により、基板ケース５０に貼り付けられている。
【００４０】
この封印シール６０を基板ケース５０から無理に剥がそうとすると、封印シール６０は、第１粘着層６２と第２粘着層６３との間の粘着力がＩＣチップ９１などが介装されていることにより弱められているため、第１粘着層６２と第２粘着層６３との間で分離し、第２粘着層６３は基板ケース５０に残り、第１粘着層６２のみが基板ケース５０から剥離される。このとき、第１粘着層６２の粘着力は第２粘着層６３の粘着力よりも大きいので、送受信アンテナ９２およびシート片６４は第１粘着層６２に粘着して剥がれるが、シート片６４の表面に設けられたＩＣチップ９１は第２粘着層６３に残るため、ＩＣチップ９１と送受信アンテナ９２とが切断されて、第２の無線通信装置９０と検査装置１１０との間での無線データ通信が不可能となる。
【００４１】
これにより、検査装置１１０から封印シール６０の第２の無線通信装置９０に対して所定の電波を送信しても、第２の無線通信装置９０から何らの応答がない場合には、封印シール６０が基板ケース５０から剥がされ、一旦剥がされた封印シール６０が目視では識別不可能なほど巧妙に再び貼り直されていても、基板ケース５０が不正に開放されている可能性があると判断できる。
【００４２】
なお、図６において、６５は、封印シール６０の表面（シールフィルム６１の上面）に印刷され、基板ケース５０に収容される主制御基板３０に関する管理情報（例えば、内蔵されるスロットマシン１の機種名、スペック、メーカー名など）が記された印刷層である。この印刷層６５は、封印シール６０を表面から視認したときに、前記ＩＣチップ９１と送受信アンテナ９２との接続部分を目立たなくさせるために、ＩＣチップ９１および前記接続部分の上部に設けられている。
前記印刷層６５は、油性インクで印刷することにより形成されており、これにより、封印シール６０が溶剤によって剥がされたときは、印刷のにじみが発生するので、粘着層の粘着力を溶剤によって低下させ、痕跡を残すことなく封印シール６０を剥がそうとする不正行為について容易に発見することができる。
【００４３】
また、この実施例では、封印シール６０を基板ケース５０から剥がした場合に、ＩＣチップ９１と送受信アンテナ９２とが切断されることにより第２の無線通信装置９０が破壊される例を示したが、これに限らず、送受信アンテナ９２の所定部分（以下、「断線部分６６」という、図５に示す。）が断線することにより第２の無線通信装置９０が破壊される構成にしてもよい。
この構成においては、前記断線部分６６は、封印シール６０を基板ケース５０に貼り付けた場合に、基板ケース５０の継ぎ目（ケース本体５１とカバー部５４とが連続する部分）にあたる部分を中心にして幅１５〜２５ｍｍ程度の領域に設けられるのが望ましい。これは、前記領域があまりに狭すぎると、送受信アンテナ９２の形成が難しくなるためである。なお、封印シール６０は、縦向きまたは横向きのどちら向きにでも基板ケース５０に貼り付けることが可能であるので、前記領域は、封印シール６０の縦方向および横方向に設けられる。
【００４４】
図７は、上記したスロットマシン１の電気的な構成を示す。なお、この図には電源系統の図示は省略してある。スロットマシン１は、その主要な処理装置として主制御基板３０に設けられた主制御装置３１と、主制御装置３１とは異なる基板上に配備され、主制御装置３１からコマンドを受けて動作する副制御装置４０とを備えている。
【００４５】
主制御装置３１は、マイクロコンピューターより成り、制御、演算の主体であるＣＰＵ３２、記憶手段であるＲＯＭ３３、ＲＡＭ３４の他に抽選処理に用いられる乱数発生器３５を含む。前記ＲＯＭ３３には、ゲームの進行に関わる制御プログラムのほか、賞に関わる抽選のための複数の抽選テーブルなど、ゲーム制御を行うための各種プログラムや必要なデータが格納されている。ＲＡＭ３４は、前記抽選で賞に当選したときの当選フラグ（当選状態を記憶するためのもの）やメダルの賭け数など、ゲームを進行させるのに必要なデータの読み書きに用いられる。乱数発生器３５は、ＣＰＵ３２が抽選処理を行う際にサンプリングする乱数を生成する。この抽選処理は、始動レバー１５が操作されたことを契機に実行されるものである。
【００４６】
主制御装置３１には、バス３６を介して、入出力各部が接続される。入力部としては、前記始動レバー１５、停止スイッチ１６ａ，１６ｂ，１６ｃ、ベットスイッチ１７、精算スイッチ１８の他、各種センサ１９（メダル投入口１４内のメダル検出用センサ、前面扉開閉検知センサなど）などが接続されている。また、出力部としては、前記貯留枚数表示器１２、払出枚数表示器１３、メダル放出機２８、各リール１１ａ，１１ｂ，１１ｃのステッピングモータ２３ａ，２３ｂ，２３ｃの駆動を制御するリール駆動回路２９などが接続されている。
【００４７】
前記ＣＰＵ３２は、ＲＯＭ３３に格納された制御プログラムに従ってＲＡＭ３４に対するデータの読み書きを行いつつ、前記入出力各部の動作を一連に制御する他、乱数発生器３５が生成した乱数値をサンプリングして賞に関わる抽選処理などを実行する。また、制御プログラムを実行することで得られる各種コマンドを副制御装置４０へ送信する。
【００４８】
副制御装置４０は、主制御装置３１からコマンド信号を受けて内部抽選処理の結果を報知したり、各種演出を行ったりするためのものである。副制御装置４０は、前記コマンド信号に応じた予め設定されたプログラムに従って制御動作を行うＣＰＵと、前記プログラムを記憶する記憶手段であるＲＯＭと、処理結果などを一時的に記憶するＲＡＭとを含み、副制御装置４０には、液晶表示器７、各種スピーカー８，９，２５、ランプ２１などが接続されている。
【００４９】
図８は、前記の第１，第２の無線通信装置７０，９０および検査装置１１０の電気的な構成を既略的に示すブロック図である。
検査装置１１０は、制御の主体であるＣＰＵ１１１，ＲＯＭ１１２，ＲＡＭ１１３の他、第１，第２の無線通信装置７０，９０との間でデータの送受信を行うためのデータ送受信部１１４、表示部１１５、操作部１１６および前記の各作動部に電力を供給する電源部１１７とを含んでいる。ＣＰＵ１１１にはバス１１８を介してこれら各作動部が接続されている。ＲＯＭ１１２には固定データとして、第１，第２の無線通信装置７０，９０に対してＩＤコードの送信要求情報として機能するアクセスデータの他、表示部１１５に表示される情報表示のための表示パターンなどが記憶されている。
【００５０】
第１の無線通信装置７０は、前記基板ＩＤコードや検査装置１１０による検査に必要な第１照合データの他、当該無線通信装置固有のＩＤを保持している。第２の無線通信装置９０は、前記管理ＩＤコードや検査装置１１０による検査に必要な第２照合データの他、当該無線通信装置固有のＩＤを保持している。
第１，第２の無線通信装置７０，９０に保持された各ＩＤコードは、検査装置１１０からアクセスデータを送信することにより、第１，第２の無線通信装置７０，９０からそれぞれ読み出すことができるようになっている。
【００５１】
図９は、第１，第２の無線通信装置７０，９０の電気的な構成を示すブロック図である。なお、第２の無線通信装置９０の電気的な構成は、第１の無線通信装置７０の構成と同様であるため、ここでは対応する構成に符号を括弧で付することで説明を省略する。
【００５２】
ＩＣチップ７１（９１）には、送受信アンテナ７２（９２）で受信した検査装置１１０からの電波（変調波）を復調するための復調部７３（９３）が備えられている。復調部７３（９３）には、周波数発振部７４（９４）から所定の周波数の基準位相信号が与えられており、復調部７３（９３）は、送受信アンテナ７２（９２）で受信した変調波と周波数発振部７４（９４）からの基準位相信号とを比較して、受信した変調波に含まれている信号成分を取り出す。こうして取り出された信号成分は、フィルタ７５（９５）で予め定める周波数帯域以外の周波数成分が除去された後、Ａ／Ｄ変換部７６（９６）に与えられて受信データ（アクセスデータ）に変換される。
【００５３】
Ａ／Ｄ変換部７６（９６）により変換された受信データは、ＣＰＵ７７（９７）に与えられる。このＣＰＵ７７（９７）には、ＲＯＭ７８（９８）が接続されており、このＲＯＭ７８（９８）に、基板ＩＤコード（あるいは管理ＩＤコード）や第１照合データ（あるいは第２照合データ）の他、無線通信装置固有のＩＤが格納されている。ＣＰＵ７７（９７）は、Ａ／Ｄ変換部７６（９６）から受信データが与えられると、ＲＯＭ７８（９８）から第１照合データ（あるいは第２照合データ）を読み出して、その読み出した第１照合データ（あるいは第２照合データ）と受信データとを照合する。
【００５４】
ここで、第１照合データ（あるいは第２照合データ）は、検査装置１１０のＲＯＭ１１２に記憶されているアクセスデータと同一のデータであり、受信データが第１照合データ（あるいは第２照合データ）と一致する場合、ＣＰＵ７７（９７）は、検査装置１１０からのＩＤコード送信要求があったと判断して、ＲＯＭ７８（９８）から基板ＩＤコード（あるいは管理ＩＤコード）を読み出す。そして、読み出されたデータは変調部７９（９９）に与えられ、変調部７９（９９）において検査装置１１０に向けて搬送される変調波が作成される。
【００５５】
変調部７９（９９）には、周波数発振部８０（１００）から所定の周波数の搬送波が与えられている。変調部７９（９９）は、この所定の周波数の搬送波をＣＰＵ７７（９７）から与えられるデータによりＢＰＳＫ方式で変調して変調波を作成し、その作成した変調波を送信部８１（１０１）に与える。送信部８１（１０１）に与えられた変調波は、適度に増幅された後、送受信アンテナ７２（９２）から検査装置１１０に搬送される。
なお、前記受信データと第１照合データ（あるいは第２照合データ）とが一致しない場合は、第１，第２の無線通信装置７０，９０からのデータ送信が行われない。
【００５６】
上記した第１，第２の各無線通信装置７０，９０の各作動部の動作は、検査装置１１０からの電波から作成された電力を利用して行われている。送受信アンテナ７２（９２）には、同調用コイルを含む共振回路（図示せず。）が備えられており、検査装置１１０からの電波が送受信アンテナ７２（９２）で受信されると、その受信波によって同調用コイルを貫く磁束が変化して、前記共振回路に交流電圧が発生する。この発生した交流電圧は、ＩＣチップ７１（９１）に備えられたＡＣ／ＤＣコンバータ８２（１０２）で直流電圧に変換された後、レギュレータ７３（１０３）で一定電圧以下（例えば、５ボルト以下）に降圧されて、ＣＰＵ７７（９７）などの各作動部に動作電圧として与えられる。よって、このスロットマシン１に電源がＯＮされていない状態でも、第１，第２の無線通信装置７０，９０と検査装置１１０との間でデータ通信を行うことができる。
【００５７】
図１０は、検査装置１１０に備えられたデータ送受信部１１４の電気的な構成を示すブロック図である。データ送受信部１１４には、マイクロプロセッサからなる信号処理部１２０が備えられている。操作部１１６で所定操作が行なわれると、第１，第２の無線通信装置７０，９０に対して各ＩＤコードの送信要求が行われるが、これに際して、信号処理部１２０は、ＣＰＵ１１１にアクセスデータを要求するコマンドを出力する。これにより、ＣＰＵ１１１はＲＯＭ１１２からアクセスデータを読み出して、その読み出したアクセスデータを信号処理部１２０に出力する。
【００５８】
信号処理部１２０に入力されたアクセスデータは、変調部１２１に与えられ、変調部１２１にて第１，第２の無線通信装置７０，９０に向けて出力すべき変調波が作成される。この変調部１２１には、周波数発振部１２２から所定の周波数の搬送波が与えられる。変調部１２１は、この所定の周波数の搬送波を信号処理部１２０から与えられるアクセスデータによってＢＰＳＫ方式で変調して変調波を作成し、その作成した変調波を送信部１２３に与える。送信部１２３に与えられた変調波は、この送信部１２３で適度に増幅された後、送受信アンテナ１２４から第１，第２の無線通信装置７０，９０に出力される。
【００５９】
なお、このとき、第１の無線通信装置７０に向けて出力される変調波と第２の無線通信装置９０に向けて出力される変調波とは、その周波数が異なるものとなるように、変調部１２１には、周波数発振部１２２から周波数の異なる搬送波がそれぞれ与えられ、変調部１２１ではこの周波数の異なる２種類の搬送波をそれぞれ変調して２種類の変調波を作成し、送信部１２３に与える。第１，第２の無線通信装置７０，９０は、周波数の異なる変調波に対してそれぞれその一方のみを受信するように構成されており、周波数の異なる変調波を順番に第１，第２の無線通信装置７０，９０に対して搬送することにより、第１，第２の無線通信装置７０，９０は所定の周波数の変調波に対してのみこれに応答する。
このような構成によると、検査装置１１０から第１，第２の無線通信装置７０，９０に対してＩＤコードの送信要求を同時に行ったとしても、第１，第２の無線通信装置７０，９０からの応答にはタイムラグが生じ、各無線通信装置からの送信データが互いに衝突することはない。
【００６０】
第１の無線通信装置７０または第２の無線通信装置９０から所定時間内に応答があり、送受信アンテナ１２４が、例えば、第１の無線通信装置７０から変調波を受信すると、この変調波は復調部１２５に与えられ、復調部１２５にて復調される。復調部１２５には、周波数発振部１２６から第１，第２の無線通信装置７０，９０で用いられている搬送波と同じ周波数の基準位相信号が与えられており、復調部１２５は、送受信アンテナ１２４からの変調波と周波数発振部１２６からの基準位相信号とを比較し、受信した変調波に含まれている信号成分を取り出す。こうして取り出された信号成分は、フィルタ１２７で予め定める周波数帯域以外の周波数成分が除去された後、Ａ／Ｄ変換部１２８に与えられて受信データ（基板ＩＤコード）に変換される。
【００６１】
同様に、送受信アンテナ１２４が、第２の無線通信装置９０から変調波を受信すると、この変調波は復調部１２５に与えられ、復調部１２５にて復調された後、フィルタ１２７で予め定める周波数帯域以外の周波数成分が除去され、Ａ／Ｄ変換部１２８に与えられて受信データ（管理ＩＤコード）に変換される。
【００６２】
Ａ／Ｄ変換部１２８で変換された基板ＩＤコードおよび管理ＩＤコードは、信号処理部１２０に与えられ、さらにＣＰＵ１１１に与えられる。ＣＰＵ１１１は、第１の無線通信装置７０から読み出した基板ＩＤコードと、第２の無線通信装置９０から読み出した管理ＩＤコードとを照合し、両者が一致するか否かを判別する。そして、基板ＩＤコードと管理ＩＤコードとが一致している場合には、ＣＰＵ１１１は、このスロットマシン１には当該スロットマシン固有の正規の主制御基板３０が内蔵されていると判断し、その旨の表示（例えば、「検査ＯＫ」）を表示部１１５に表示する。
一方、基板ＩＤコードと管理ＩＤコードとが一致しない場合、あるいは、ＩＤコードの送信要求から所定時間が経過しても第１の無線通信装置７０または第２の無線通信装置９０から応答のなかった場合には、ＣＰＵ１１１は、このスロットマシン１には当該スロットマシン固有の正規の主制御基板３０が内蔵されていない、あるいは、第１，第２の無線通信装置７０，９０が取り付けられている主制御基板３０または封印シール６０に異常があると判断し、その旨の表示（例えば、「照合不一致」や、「異常あり」など）を表示部１１５に表示する。
【００６３】
なお、一般に遊技場では、複数のスロットマシン１が近接配置されていることから、検査装置１１０から特定のスロットマシン１の第１，第２の無線通信装置７０，９０に電波を送信する際に、近接するスロットマシン１の第１，第２の無線通信装置７０，９０にも電波が送られ電波相互間での混信が生じるおそれがある。そのため、第１，第２の無線通信装置７０，９０と検査装置１１０とのデータ通信可能範囲は、スロットマシン１の前面扉３が閉じられている場合にはデータ通信ができないように設定する、すなわち、検査装置１１０を第１，第２の無線通信装置７０，９０に接近させない限りデータ通信できないように設定するのが望ましい。
【００６４】
図１１および図１２は、この発明が適用されたスロットマシン１における遊技機の検査システムについての制御の流れを示すもので、図１１には検査装置１１０による制御の流れが、図１２には第１，第２の無線通信装置７０，９０による制御の流れが、それぞれ示してある。なお、図中、「ＳＴ」は「ＳＴＥＰ」の略であり、一連の制御の流れにおける各手順を示している。
【００６５】
図１１のＳＴ１において、検査装置１１０のＣＰＵ１１１は、操作部１１６の操作に待機し、第１，第２の無線通信装置７０，９０に対してＩＤコードの送信要求を行うかどうかを確認している。この状態で操作部１１６が操作されると、ＳＴ１の判定が「ＹＥＳ」となってＳＴ２へ進み、ＣＰＵ１１１は、まず第１の無線通信装置７０に向けて出力すべき変調波を作成する処理を実行し、前記変調波を送受信アンテナ１２４から第１の無線通信装置７０に出力する処理を実行する（ＳＴ３）。
【００６６】
第１の無線通信装置７０において、検査装置１１０からの変調波を送受信アンテナ７２で受信すると、図１２のＳＴ１００の判定が「ＹＥＳ」となってＳＴ１０１へ進み、第１の無線通信装置７０のＣＰＵ７７は、受信した変調波に含まれるアクセスデータについて第１照合データとの照合を行う。もし、照合結果がＯＫであれば、ＳＴ１０２の判定は「ＹＥＳ」であり、ＣＰＵ７７は受信したデータが検査装置１１０から送信されたものであると判断して、ＲＯＭ７８に記憶されている基板ＩＤコードを検査装置１１０に向けて出力する処理を実行する（ＳＴ１０３）。
もし、ＳＴ１０１による照合の結果がＯＫでなければ、ＳＴ１０２の判定が「ＮＯ」であり、ＣＰＵ７７は正規の検査装置１１０からのデータではないと判断して、エラー処理を実行する（ＳＴ１０４）。
【００６７】
次に、検査装置１１０において、所定時間内に上記した第１の無線通信装置７０からの応答があると、図１１のＳＴ４の判定が「ＹＥＳ」となり、検査装置１１０のＣＰＵ１１１は、受信した変調波に含まれる基板ＩＤコードをＲＡＭ１１３に記憶し（ＳＴ５）、ＳＴ７へ進む。
ＳＴ４において、もし、所定時間が経過しても第１の無線通信装置７０からの応答がない場合には、その判定が「ＮＯ」であり、ＣＰＵ１１１は表示部１１５に、主制御基板３０において異常が発生している旨の表示を行う（ＳＴ６）。
【００６８】
ＳＴ７では、ＣＰＵ１１１は、次に第２の無線通信装置７０に向けて出力すべき変調波を作成する処理を実行し、前記変調波を送受信アンテナ１２４から第２の無線通信装置９０に出力する処理を実行する（ＳＴ８）。
【００６９】
第２の無線通信装置９０において、検査装置１１０からの変調波を送受信アンテナ９２で受信すると、図１２のＳＴ１００の判定が「ＹＥＳ」となってＳＴ１０１へ進み、第２の無線通信装置９０のＣＰＵ９７は、受信した変調波に含まれるアクセスデータについて第２照合データとの照合を行う。もし、照合結果がＯＫであれば、ＳＴ１０２の判定は「ＹＥＳ」であり、ＣＰＵ９７は受信したデータが検査装置１１０から送信されたものであると判断して、ＲＯＭ９８に記憶されている管理ＩＤコードを検査装置１１０に向けて出力する処理を実行する（ＳＴ１０３）。
もし、ＳＴ１０１による照合の結果がＯＫでなければ、ＳＴ１０２の判定が「ＮＯ」であり、ＣＰＵ９７は正規の検査装置１１０からのデータではないと判断して、エラー処理を実行する（ＳＴ１０４）。
【００７０】
次に、検査装置１１０において、所定時間内に上記した第２の無線通信装置９０からの応答があると、図１１のＳＴ９の判定が「ＹＥＳ」となり、検査装置１１０のＣＰＵ１１１は、受信した変調波に含まれる管理ＩＤコードをＲＡＭ１１３に記憶し（ＳＴ１０）、ＳＴ１２へ進む。
ＳＴ９において、もし、所定時間が経過しても第２の無線通信装置９０からの応答がない場合には、その判定が「ＮＯ」であり、ＣＰＵ１１１は表示部１１５に、封印シール６０において異常が発生している旨の表示を行う（ＳＴ１１）。
【００７１】
そして、次のＳＴ１２おいて、検査装置１１０のＣＰＵ１１１は、第１の無線通信装置７０から読み出した基板ＩＤコードと、第２の無線通信装置９０から読み出した管理ＩＤコードとを照合する処理を行う。ＳＴ１２の照合処理の結果、基板ＩＤコードと管理ＩＤコードとが一致している場合は、ＳＴ１３の判定が「ＹＥＳ」であり、ＣＰＵ１１１はこのスロットマシン１には当該スロットマシン固有の正規の主制御基板３０が内蔵されていると判断して、表示部１１５に検査結果が正常である旨の表示を行う（ＳＴ１４）。
もし、ＳＴ１２による照合の結果が不一致であるときは、ＳＴ１３の判定は「ＮＯ」であり、ＣＰＵ１１１は、このスロットマシン１には当該スロットマシン固有の正規の主制御基板３０が内蔵されていないと判断して、表示部１１５に照合不一致である旨の表示を行う（ＳＴ１５）。
【００７２】
上記した構成の遊技機検査システムによると、検査装置１１０から第１，第２の各無線通信装置７０，９０に対してＩＤコードの送信要求を行っても、第１の無線通信装置７０または第２の無線通信装置９０から何らの応答もない場合には、例えば、封印シール６０が基板ケース５０から剥がされ、基板ケース５０が不正に開放されているなどの異常を容易に検査することができる。また、第１，第２の各無線通信装置７０，９０から基板ＩＤコードおよび管理ＩＤコードが返信されてきたとしても、基板ＩＤコードと管理ＩＤコードとを照合し、基板ＩＤコードと管理ＩＤコードとが予め定められた関係にあるかどうかを判別することで、そのスロットマシン１に内蔵されている主制御基板３０が当該スロットマシン固有の正規な主制御基板であるかどうか、すなわち、正規な主制御基板であるが他種の主制御基板が間違って内蔵されているかどうか、あるいは、不正な主制御基板と故意に取り換えられていないかどうかを、主制御基板をスロットマシンから取り外さなくても、容易に検査することができる。
【００７３】
なお、上記した実施例において、前記封印シール６０の表面の印刷層６５には、当該基板ケース５０に収容される主制御基板３０に関する管理情報（例えば、内蔵されるスロットマシン１の機種名、スペック、メーカー名など）が予め記されているが、第２の無線通信装置９０のＲＯＭ９８には、この管理情報も記憶するように構成する。上記した管理情報や基板ＩＤコード，管理ＩＤコードなどは、スロットマシン１の製造時にその製造メーカーにより第１，第２の各無線通信装置７０，９０にそれぞれ記憶される。そして、製造メーカーは、前記基板ＩＤコードおよび管理ＩＤコードと管理情報とを関連付けたデータベースを作成し、各遊技場にスロットマシン１を出荷する。このような構成によると、製造メーカーが上記した構成の遊技機検査システムでスロットマシン１の検査を行う場合には、遊技場で用いられる検査装置１１０とは異なり、第１，第２の各無線通信装置７０，９０から返信される各ＩＤコードが前記管理情報とともにその表示部１１５に表示される検査装置１１０を用い、その各ＩＤコードを前記データベースと照合することにより、さらに厳密な検査が可能となる。
【００７４】
また、上記した実施例では、この発明をスロットマシンに適用した例を説明したが、この発明はこれに限らず、例えばパチンコ機などの遊技機に広く適用可能である。
【００７５】
さらに、上記した実施例では、検査装置１１０から第１の無線通信装置７０および第２の無線通信装置９０に向けて、周波数の異なる変調波をそれぞれ順番に搬送するとともに、第１，第２の無線通信装置７０，９０を、周波数の異なる変調波に対してそれぞれその一方のみを受信するように構成することにより、第１，第２の各無線通信装置７０，９０が同時にＩＤコードを検査装置１１０に返信するのを防止しているが、これに限らず、下記のような方法により、第１，第２の各無線通信装置７０，９０が同時にＩＤコードを検査装置１１０に返信するのを防止してもよい。
【００７６】
この実施例では、検査装置１１０から一定周波数の変調波を第１，第２の各無線通信装置７０，９０に向けて出力する。このとき、前記変調波には、アクセスデータの他に、この変調波に応答する無線通信装置を限定するために各無線通信装置が保持している無線通信装置ＩＤを付加する。各無線通信装置は、受信した変調波に付加されている無線通信装置ＩＤに、当該無線通信装置の固有のＩＤが含まれているかを判別し、自己の無線通信装置のＩＤが含まれている場合のみ、これに応答するように構成されている。
【００７７】
図１３および図１４は、上記実施例が適用されたスロットマシンにおける遊技機の検査システムについての制御の流れを示すもので、図１３には検査装置１１０による制御の流れが、図１４には第１，第２の無線通信装置７０，９０による制御の流れが、それぞれ示されている。
【００７８】
図１３のＳＴ１において、検査装置１１０のＣＰＵ１１１は、操作部１１６の操作に待機し、第１，第２の無線通信装置７０，９０に対してＩＤコードの送信要求を行うかどうかを確認している。この状態で操作部１１６が操作されると、ＳＴ１の判定が「ＹＥＳ」となってＳＴ２へ進み、ＣＰＵ１１１は、第１，第２の無線通信装置７０，９０に向けて出力する変調波を作成する処理を実行する。このとき、前記変調波には、アクセスデータの他に、当該検査装置１１０で検査する遊技機全てに設けられた無線通信装置の固有のＩＤが付加される。そして、前記変調波を送受信アンテナ１２４から第１，第２の無線通信装置７０，９０に出力する処理を実行する。
【００７９】
第１，第２の各無線通信装置７０，９０において、検査装置１１０からの変調波を受信すると、図１４のＳＴ１００の判定が「ＹＥＳ」となってＳＴ１０１へ進み、第１，第２の各無線通信装置７０，９０のＣＰＵ７７，９７は、受信した変調波に含まれるアクセスデータについて第１照合データまたは第２照合データとの照合を行う。もし、照合結果がＯＫであれば、ＳＴ１０２の判定は「ＹＥＳ」であり、ＣＰＵ７７，９７は受信したデータが検査装置１１０から送信されたものであると判断する。そして、次に、ＣＰＵ７７，９７は受信した変調波に含まれる無線通信装置ＩＤに当該無線通信装置に記憶されている自己のＩＤが含まれているかどうかを判定する（ＳＴ１０３）。ここでは、前記変調波には、検査対象となる全ての無線通信装置の固有のＩＤが含まれているので、その判定は「ＹＥＳ」となって、ＳＴ１０４に進み、ＲＯＭ７８，９８に記憶されている基板ＩＤコードまたは管理ＩＤコードを検査装置１１０に向けて出力する処理を実行する。
もし、ＳＴ１０１による照合の結果がＯＫでなければ、ＳＴ１０２の判定が「ＮＯ」であり、ＣＰＵ７７，９７は正規の検査装置１１０からのデータではないと判断して、エラー処理を実行する（ＳＴ１０５）。
【００８０】
次に、検査装置１１０において、所定時間内に上記した第１の無線通信装置７０および第２の無線通信装置９０からの応答があると、図１３のＳＴ３の判定が「ＹＥＳ」となってＳＴ４に進み、次に、検査装置１１０のＣＰＵ１１１は、第１，第２の無線通信装置７０，９０からの応答が同時に行われたかどうかを判定する。
ＳＴ３において、もし、所定時間が経過しても第１，第２の無線通信装置７０，９０からの応答がない場合には、その判定が「ＮＯ」であり、ＣＰＵ１１１は表示部１１５に、異常が発生している旨の表示を行う（ＳＴ５）。
【００８１】
ＳＴ４において、第１，第２の無線通信装置７０，９０からの変調波を同時に受信しなかった場合には、その判定が「ＮＯ」であり、検査装置１１０のＣＰＵ１１１は、第１，第２の無線通信装置７０，９０のいずれからも応答があったかどうかを判定する（ＳＴ６）。そして、その結果、第１，第２の無線通信装置７０，９０のいずれからも応答があった場合には、ＳＴ６の判定が「ＹＥＳ」であり、ＳＴ１２に進んで第１の無線通信装置７０から読み出した基板ＩＤコードと、第２の無線通信装置９０から読み出した管理ＩＤコードとを照合する処理を行う。そして、ＳＴ１２の照合処理の結果、基板ＩＤコードと管理ＩＤコードとが一致している場合は、ＳＴ１４の判定が「ＹＥＳ」であり、ＣＰＵ１１１はこのスロットマシン１には当該スロットマシン固有の正規の主制御基板３０が内蔵されていると判断して、表示部１１５に検査結果が正常である旨の表示を行う（ＳＴ１５）。もし、ＳＴ１２による照合の結果が不一致であるときは、ＳＴ１４の判定は「ＮＯ」であり、ＣＰＵ１１１は、このスロットマシン１には当該スロットマシン固有の正規の主制御基板３０が内蔵されていないと判断して、表示部１１５に照合不一致である旨の表示を行う（ＳＴ１６）。
ＳＴ６において、もし、第１，第２の無線通信装置７０，９０のいずれか一方からの応答がない場合には、その判定が「ＮＯ」であり、ＣＰＵ１１１は表示部１１５に、応答がなかった無線通信装置について異常が発生している旨の表示を行う（ＳＴ７）。
【００８２】
一方、ＳＴ４において、第１，第２の無線通信装置７０，９０からの変調波を同時に受信した場合には、その判定が「ＹＥＳ」となってＳＴ８に進み、検査装置１１０のＣＰＵ１１１は、再び第１，第２の無線通信装置７０，９０に向けて出力する変調波を作成・出力する処理を実行する。このとき、前記変調波に付加される無線通信装置ＩＤは、その範囲が前回とは変えられ、狭められる（例えば、前回、付加していた無線通信装置ＩＤが１〜３０であれば、１〜１５に変更する。）
【００８３】
第１，第２の各無線通信装置７０，９０において、検査装置１１０からの変調波を再び受信すると、図１４のＳＴ１００の判定が「ＹＥＳ」となってＳＴ１０１へ進み、第１，第２の各無線通信装置７０，９０のＣＰＵ７７，９７は、同様に受信した変調波が検査装置１１０から送信されたものであるかどうかを判定する（ＳＴ１０１，ＳＴ１０２）。そして、受信した変調波が検査装置１１０から送信されたものであると判断されれば（ＳＴ１０２の判定が「ＹＥＳ」）、ＣＰＵ７７，９７は受信した変調波に含まれる無線通信装置ＩＤに当該無線通信装置に記憶されている自己のＩＤが含まれているかどうかを判定する（ＳＴ１０３）。ここで、もし、第１の無線通信装置７０についてのみ、無線通信装置ＩＤが前記変調波に含まれている場合には、第１の無線通信装置７０のＣＰＵ７７は、ＲＯＭ７８に記憶されている基板ＩＤコードを検査装置１１０に向けて出力する処理を実行する（ＳＴ１０３の判定が「ＹＥＳ」、ＳＴ１０４）。
一方、第２の無線通信装置９０のＣＰＵ９７は、管理ＩＤコードを検査装置１１０には出力せず、その処理を終了する（ＳＴ１０３の判定が「ＮＯ」）。
【００８４】
そして、検査装置１１０では、所定時間内に上記した第１の無線通信装置７０からの応答があると、図１３のＳＴ９の判定が「ＹＥＳ」となってＳＴ１０に進むが、この場合には、第１，第２の無線通信装置７０，９０からの応答が同時に行われることがないので、ＳＴ１０の判定は「ＮＯ」となる。そして、次のＳＴ１１の判定も「ＮＯ」となるから、ＳＴ８に戻って、再び無線通信装置に向けて出力する変調波を作成・出力する処理を実行する。このとき、前記変調波に付加される無線通信装置ＩＤは、その範囲が前回とは変えられる（例えば、付加する無線通信装置ＩＤを１６〜３０に変更する）。
【００８５】
そして、第１，第２の各無線通信装置７０，９０では、検査装置１１０からの変調波を再び受信すると、図１４のＳＴ１００の判定が「ＹＥＳ」となってＳＴ１０１へ進み、第１，第２の各無線通信装置７０，９０のＣＰＵ７７，９７は、同様に受信した変調波が検査装置１１０から送信されたものであるかどうかを判定する（ＳＴ１０１，ＳＴ１０２）。そして、受信した変調波が検査装置１１０から送信されたものであると判断されれば（ＳＴ１０２の判定が「ＹＥＳ」）、ＣＰＵ７７，９７は受信した変調波に含まれる無線通信装置ＩＤに当該無線通信装置に記憶されている自己のＩＤが含まれているかどうかを判定する（ＳＴ１０３）。この場合は、第２の無線通信装置９０についてのみ、無線通信装置ＩＤが前記変調波に含まれるので、第２の無線通信装置９０のＣＰＵ９７は、ＲＯＭ９８に記憶されている管理ＩＤコードを検査装置１１０に向けて出力する処理を実行する（ＳＴ１０３の判定が「ＹＥＳ」、ＳＴ１０４）。
一方、第１の無線通信装置８０のＣＰＵ８７は、基板ＩＤコードを検査装置１１０には出力せず、その処理を終了する（ＳＴ１０３の判定が「ＮＯ」）。
【００８６】
そして、検査装置１１０において、所定時間内に上記した第２の無線通信装置９０からの応答があると、図１３のＳＴ９の判定が「ＹＥＳ」となってＳＴ１０に進むが、この場合には、第１，第２の無線通信装置７０，９０からの応答が同時に行われることがないので、ＳＴ１０の判定は「ＮＯ」となる。そして、次のＳＴ１１の判定は「ＹＥＳ」となるから、ＳＴ１２に進んで第１の無線通信装置７０から読み出した基板ＩＤコードと、第２の無線通信装置９０から読み出した管理ＩＤコードとを照合する処理を行う。そして、ＳＴ１２の照合処理の結果、基板ＩＤコードと管理ＩＤコードとが一致している場合は、ＳＴ１３の判定が「ＹＥＳ」であり、ＣＰＵ１１１はこのスロットマシン１には当該スロットマシン固有の正規の主制御基板３０が内蔵されていると判断して、表示部１１５に検査結果が正常である旨の表示を行う（ＳＴ１４）。もし、ＳＴ１２による照合の結果が不一致であるときは、ＳＴ１３の判定は「ＮＯ」であり、ＣＰＵ１１１は、このスロットマシン１には当該スロットマシン固有の正規の主制御基板３０が内蔵されていないと判断して、表示部１１５に照合不一致である旨の表示を行う（ＳＴ１５）。
【図面の簡単な説明】
【００８７】
【図１】スロットマシンの外観を示す正面図である。
【図２】内部構造を示すスロットマシンの正面図である。
【図３】基板ケースの断面を部分的に示す模式図である。
【図４】主制御基板の断面図である。
【図５】封印シールの平面図である。
【図６】封印シールの断面図である。
【図７】スロットマシンの電気的構成を示すブロック図である。
【図８】第１，第２の無線通信装置および検査装置の電気的な概略構成を示すブロック図である。
【図９】第１，第２の無線通信装置の電気的な構成を示すブロック図である。
【図１０】検査装置のデータ送受信部の電気的な構成を示すブロック図である。
【図１１】検査装置による遊技機の検査についての制御の流れを示すフローチャートである。
【図１２】第１，第２の無線通信装置による遊技機の検査についての制御の流れを示すフローチャートである。
【図１３】検査装置による遊技機の検査について他の制御の流れを示すフローチャートである。
【図１４】第１，第２の無線通信装置による遊技機の検査について他の制御の流れを示すフローチャートである。
【符号の説明】
【００８８】
１    スロットマシン
３０  主制御基板
３１  主制御装置
５０  基板ケース
６０  封印シール
７０  第１の無線通信装置
７１  ＩＣチップ
７２  送受信アンテナ
９０  第２の無線通信装置
９１  ＩＣチップ
９２  送受信アンテナ
１１０  検査装置
１１１  ＣＰＵ
１１２  ＲＯＭ
１１３  ＲＡＭ
１１４  データ送受信部
１１５  表示部
【図１】
2008259750.tif 000003
【図２】
2008259750.tif 000004
【図３】
2008259750.tif 000005
【図４】
2008259750.tif 000006
【図５】
2008259750.tif 000007
【図６】
2008259750.tif 000008
【図７】
2008259750.tif 000009
【図８】
2008259750.tif 000010
【図９】
2008259750.tif 000011
【図１０】
2008259750.tif 000012
【図１１】
2008259750.tif 000013
【図１２】
2008259750.tif 000014
【図１３】
2008259750.tif 000015
【図１４】
2008259750.tif 000016